(57)【要約】【課題】画像形成装置に急いで向かってくるユーザーを判別して、急いでいるユーザーの印刷ジョブを自動的に優先して実行する。【解決手段】複数の印刷ジョブ１３１を特定順序で実行するジョブ処理部１７３を備えた画像形成装置１であって、印刷ジョブ１３１の作成者ＵＳＲが所持する携帯端末２と無線通信を行う通信部１６と、通信部１６を介して携帯端末２から位置情報及び加速度情報を移動情報として取得する移動情報取得部１７１と、取得された移動情報に基づいて、作成者ＵＳＲの行動を監視する行動監視部１７２とを備え、ジョブ処理部１７３は、行動監視部１７２により自装置に特定速度以上で接近していることが検出された作成者ＵＳＲの印刷ジョブ１３１の実行順序を繰り上げる。【選択図】図１
2018069584.tif 000002
【特許請求の範囲】
【請求項１】
複数の印刷ジョブを特定順序で実行するジョブ処理部を備えた画像形成装置であって、
前記印刷ジョブの作成者が所持する携帯端末と無線通信を行う通信部と、
前記通信部を介して前記携帯端末から位置情報及び加速度情報を移動情報として取得する移動情報取得部と、
取得された前記移動情報に基づいて、前記作成者の行動を監視する行動監視部とを備え、
前記ジョブ処理部は、
前記行動監視部により自装置に特定速度以上で接近していることが検出された前記作成者の前記印刷ジョブの実行順序を繰り上げる
ことを特徴とする画像形成装置。
【請求項２】
前記ジョブ処理部は、
前記特定速度が第１速度以上で接近する前記作成者の前記印刷ジョブに対して、実行中の前記印刷ジョブの処理を中断して前記作成者の前記印刷ジョブを実行する割込印刷を設定する
ことを特徴とする請求項１に記載の画像形成装置。
【請求項３】
前記ジョブ処理部は、
前記特定速度が第１速度未満であって第２速度以上で接近する前記作成者の前記印刷ジョブに対して、実行中の前記印刷ジョブの処理終了後に前記作成者の前記印刷ジョブを実行する優先印刷を設定する
ことを特徴とする請求項１又は２に記載の画像形成装置。
【請求項４】
前記行動監視部は、
前記ジョブ処理部により前記優先印刷の設定が行われた場合、前記実行中の前記印刷ジョブの処理が終了するまで、前記移動情報取得部により取得される前記移動情報に基づいて、前記優先印刷の設定がされた前記印刷ジョブの前記作成者の行動を継続して監視し、
前記ジョブ処理部は、
前記実行中の前記印刷ジョブの処理終了前に、前記行動監視部によって前記優先印刷の設定がされた前記印刷ジョブの前記作成者が自装置から遠ざかったことが検出された場合に、前記優先印刷の設定を解除する
ことを特徴とする請求項３に記載の画像形成装置。
【請求項５】
前記作成者には、作成する印刷ジョブの実行順序の繰り上げ範囲を設定するユーザー権限が付与されており、
前記ジョブ処理部は、
前記ユーザー権限に基づいて、前記行動監視部により自装置に特定速度以上で接近している前記作成者の前記印刷ジョブの実行順序を繰り上げる
ことを特徴とする請求項１から４までのいずれか１項に記載の画像形成装置。
【請求項６】
複数の印刷ジョブを特定順序で実行するジョブ処理部を備えた画像形成装置と、前記印刷ジョブの作成者が所持する携帯端末とを備えた画像形成システムであって、
前記携帯端末は、
位置情報を取得する位置情報取得部と、
加速度情報を取得する加速度取得部と、
前記位置情報及び加速度情報を移動情報として前記画像形成装置に送信する移動情報送信部とを有し、
前記画像形成装置は、
前記携帯端末と無線通信を行う通信部と、
前記通信部を介して前記携帯端末から前記移動情報を取得する移動情報取得部と、
取得された前記移動情報に基づいて、前記作成者の行動を監視する行動監視部とを有し、
前記ジョブ処理部は、
前記行動監視部により自装置に特定速度以上で接近していることが検出された前記作成者の前記印刷ジョブの実行順序を繰り上げる
ことを特徴とする画像形成システム。
【発明の詳細な説明】
【技術分野】
【０００１】
本発明は、複数の印刷ジョブを特定順序で実行するジョブ処理部を備えた画像形成装置及び画像形成システムに関する。
【背景技術】
【０００２】
近年、プリンターや複合機等の画像形成装置においては、ＬＡＮ（Local Area Network）ケーブルを介して外部装置から印刷ジョブを受信したり、ＮＦＣ（Near Field Communication）通信を介して携帯端末から印刷ジョブを受信したりすることができる（例えば、特許文献１を参照）。このような画像形成装置においては、複数の印刷ジョブを受信した場合に、受信した順に印刷ジョブを実行する先入れ先出し方式により印刷する。そのため、ユーザーが緊急の印刷ジョブを投入しても、画像形成装置に未処理の印刷ジョブが残っている場合、すぐに印刷を開始することができない。そこで、ユーザーが操作部を介して、画像形成装置内に残っている印刷ジョブの中から緊急の印刷ジョブを選択し、選択した印刷ジョブを他の印刷ジョブより先に実行する、割込印刷や優先印刷を設定できるようにした画像形成装置が知られている（例えば、特許文献２を参照）。
【先行技術文献】
【特許文献】
【０００３】
【特許文献１】特開２００８−１１０５７６号公報
【特許文献２】特開２０１４−１９４５９４号公報
【発明の概要】
【発明が解決しようとする課題】
【０００４】
しかしながら、従来技術では、ユーザーが画像形成装置の前まで来て、緊急の印刷ジョブに対する割込印刷や優先印刷の操作をしなければならず、急いでいるユーザーにとって操作性が悪かったという問題があった。
【０００５】
本発明は上記課題に鑑みてなされたものであり、急いでいるユーザーの印刷ジョブを自動的に優先して実行することができる技術を提供することを目的とする。
【課題を解決するための手段】
【０００６】
本発明の画像形成装置は、複数の印刷ジョブを特定順序で実行するジョブ処理部を備えた画像形成装置であって、前記印刷ジョブの作成者が所持する携帯端末と無線通信を行う通信部と、前記通信部を介して前記携帯端末から位置情報及び加速度情報を移動情報として取得する移動情報取得部と、取得された前記移動情報に基づいて、前記作成者の行動を監視する行動監視部とを備え、前記ジョブ処理部は、前記行動監視部により自装置に特定速度以上で接近していることが検出された前記作成者の前記印刷ジョブの実行順序を繰り上げることを特徴とする。
また、前記ジョブ処理部は、前記特定速度が第１速度以上で接近する前記作成者の前記印刷ジョブに対して、実行中の前記印刷ジョブの処理を中断して前記作成者の前記印刷ジョブを実行する割込印刷を設定してもよい。
また、前記ジョブ処理部は、前記特定速度が第１速度未満であって第２速度以上で接近する前記作成者の前記印刷ジョブに対して、実行中の前記印刷ジョブの処理終了後に前記作成者の前記印刷ジョブを実行する優先印刷を設定してもよい。
また、前記行動監視部は、前記ジョブ処理部により前記優先印刷の設定が行われた場合、前記実行中の前記印刷ジョブの処理が終了するまで、前記移動情報取得部により取得される前記移動情報に基づいて、前記優先印刷の設定がされた前記印刷ジョブの前記作成者の行動を継続して監視し、前記ジョブ処理部は、前記実行中の前記印刷ジョブの処理終了前に、前記行動監視部によって前記優先印刷の設定がされた前記印刷ジョブの前記作成者が自装置から遠ざかったことが検出された場合に、前記優先印刷の設定を解除してもよい。
また、前記作成者には、作成する印刷ジョブの実行順序の繰り上げ範囲を設定するユーザー権限が付与されており、前記ジョブ処理部は、前記ユーザー権限に基づいて、前記行動監視部により自装置に特定速度以上で接近している前記作成者の前記印刷ジョブの実行順序を繰り上げてもよい。
本発明の画像形成システムは、複数の印刷ジョブを特定順序で実行するジョブ処理部を備えた画像形成装置と、前記印刷ジョブの作成者が所持する携帯端末とを備えた画像形成システムであって、前記携帯端末は、位置情報を取得する位置情報取得部と、加速度情報を取得する加速度取得部と、前記位置情報及び加速度情報を移動情報として前記画像形成装置に送信する移動情報送信部とを有し、前記画像形成装置は、前記携帯端末と無線通信を行う通信部と、前記通信部を介して前記携帯端末から前記移動情報を取得する移動情報取得部と、取得された前記移動情報に基づいて、前記作成者の行動を監視する行動監視部とを有し、前記ジョブ処理部は、前記行動監視部により自装置に特定速度以上で接近していることが検出された前記作成者の前記印刷ジョブの実行順序を繰り上げることを特徴とする。
【発明の効果】
【０００７】
本発明によれば、急いでいるユーザーの印刷ジョブを自動的に優先して実行することができる。
【図面の簡単な説明】
【０００８】
【図１】本発明に係る実施形態の画像形成装置の概略構成を示す機能ブロック図である。
【図２】図１に示すジョブ記憶部の記憶例である。
【図３】図１に示す携帯端末の概略構成を示す機能ブロック図である。
【図４】図１に示す画像形成装置の画像形成動作の流れを示すフローチャートである。
【発明を実施するための形態】
【０００９】
以下、図を参照して本発明の実施形態を詳細に説明する。なお、以下の実施形態において、同様の機能を示す構成には、同一の符号を付してある。
【００１０】
図１を参照すると、本発明の画像形成システム１００は、作成者ＵＳＲが所持する携帯端末２と、携帯端末２と無線通信を行う画像形成装置１とを備えている。画像形成装置１は、操作部１１と、原稿読取部１２と、記憶部１３と、画像処理部１４と、印刷部１５と、通信部１６と、制御部１７とを備えている。
【００１１】
操作部１１は、表示部と操作ボタンが設けられている。表示部は、画像形成装置１の状態を示したり、画像形成状況や印刷部数を表示したりすることができる。また、液晶表示部は、タッチパネルとして、両面印刷や白黒反転等の機能や倍率設定、濃度設定、メンテナンス設定など各種設定を行えるようになっている。操作ボタンとしては、画像形成を開始するようにユーザーが指示するスタートボタン、画像形成を中止する際等に使用するストップ／クリアボタン、画像形成装置１の各種設定をデフォルト状態にする際に使用するリセットボタン、テンキー等が設けられている。
【００１２】
原稿読取部１２は、図示しない原稿給紙装置により給紙されてきた原稿や、ユーザーによってプラテンガラスに載置された原稿に対して光を照射し、その反射光等を受光して原稿画像を読み取るスキャナーである。
【００１３】
記憶部１３は、半導体メモリーやＨＤＤ（Hard Disk Drive）等の記憶手段であり、原稿読取部１２によって読み取られた画像データが蓄積される記憶手段である。また、記憶部１３は、通信部１６を介して不図示の外部装置によって印刷が指示された画像データや、操作部１１を介して印刷が指示された画像データを印刷ジョブ１３１として記憶するジョブ記憶部１３０として機能する。図２に示すように、ジョブ記憶部１３０に記憶されている印刷ジョブ１３１は、現在実行中の印刷ジョブ１３１と待機中の印刷ジョブ１３１とで構成され、各印刷ジョブ１３１の作成者ＵＳＲが分かるようにユーザー名と関連づけられている。また、通常、ジョブ記憶部１３０に記憶されている各印刷ジョブ１３１は、記憶された順に実行される。例えば、図２では、現在実行中の「印刷ジョブ１」の次に、待機中１の「印刷ジョブ２」が実行され、その次に、待機中２の「印刷ジョブ３」が実行される。
【００１４】
また、記憶部１３は、印刷ジョブ１３１の作成者ＵＳＲが所持する携帯端末２に関する携帯端末情報１３２を記憶している。携帯端末情報１３２は、通信部１６が携帯端末２と無線通信を行うための接続情報を含んでおり、複数の携帯端末２の接続情報を含んでもよい。さらに、記憶部１３には、予め画像形成装置１が設置されている場所の位置情報として設置位置情報１３３が記憶されている。
【００１５】
画像処理部１４は、画像データに対して所定の画像処理を行う手段である。画像処理部１４では、例えば、拡大縮小処理や、濃度調整、階調調整等の画像改善処理が行われる。
【００１６】
印刷部１５は、記憶部１３に記憶された印刷ジョブ１３１に基づいて印刷する印刷手段である。印刷部１５は、例えば、記憶部１３から読み出した印刷ジョブ１３１に基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００１７】
通信部１６は、Ｗｉ−Ｆｉ(登録商標)、Ｂｌｕｅｔｏｏｔｈ(登録商標)、ＮＦＣ（Near Field Communication）等による無線通信を行って、携帯端末２と各種データを送受信する機能を有する。また、通信部１６は、ＬＡＮ（Local Area Network）ケーブルを介して外部装置と各種データを送受信する機能を有してもよい。
【００１８】
制御部１７は、操作部１１、原稿読取部１２、記憶部１３、画像処理部１４、印刷部１５及び通信部１６にそれぞれ接続され、操作部１１から入力された所定の指示情報に応じて画像形成装置１全体の動作制御を実行する。制御部１７は、ＲＯＭ（Read Only Memory）、ＲＡＭ（Random Access Memory）等を備えたマイクロコンピュータ等の情報処理部である。ＲＯＭには画像形成装置１の動作制御を行うための制御プログラムが記憶されている。制御部１７は、ＲＯＭに記憶されている制御プログラムを読み出し、制御プログラムをＲＡＭに展開させることで、操作部１１から入力された所定の指示情報に応じて装置全体を制御する。また、制御部１７は、移動情報取得部１７１、行動監視部１７２、ジョブ処理部１７３として機能する。
【００１９】
移動情報取得部１７１は、ジョブ記憶部１３０に待機中の印刷ジョブ１３１が記憶されている場合に、携帯端末情報１３２を参照して、待機中の印刷ジョブ１３１の作成者ＵＳＲが所持する携帯端末２と通信部１６を介して無線通信を行って、携帯端末２から位置情報と加速度情報とを移動情報として取得する機能を有する。なお、移動情報は、携帯端末２の識別情報を含んでおり、携帯端末２を所持するユーザーを特定可能である。
【００２０】
行動監視部１７２は、移動情報取得部１７１によって取得された移動情報に基づいて、ジョブ記憶部１３０に記憶されている待機中の印刷ジョブ１３１の作成者ＵＳＲの行動を監視する機能を有する。例えば、行動監視部１７２は、単位時間当たりの移動情報に含まれる位置情報を設置位置情報１３３と比較することで、作成者ＵＳＲが画像形成装置１に接近しているのか画像形成装置１から遠ざかったのか判断することができる。また、このときの単位時間当たりの移動情報に含まれる加速度情報（加速度情報及び位置情報でもよい）に基づいて、行動監視部１７２は、公知の技術を用いて作成者ＵＳＲの速度を取得することができる。
【００２１】
ジョブ処理部１７３は、行動監視部１７２により作成者ＵＳＲが画像形成装置１に特定速度以上で接近していることが検出された場合に、この作成者ＵＳＲの待機中の印刷ジョブ１３１の実行順序を繰り上げる機能を有する。通常、ジョブ処理部１７３は、ジョブ記憶部１３０に記憶されている印刷ジョブ１３１を記憶された順（特定順序）に実行する。言い換えれば、印刷ジョブ１３１は、画像形成装置１に投入された順に実行される。ただし、行動監視部１７２によって待機中の印刷ジョブ１３１の作成者ＵＳＲが画像形成装置１に特定速度以上で接近していることが検出された場合には、ジョブ処理部１７３は、この作成者ＵＳＲが急ぎの印刷を必要としていると判断し、この作成者ＵＳＲの待機中の印刷ジョブ１３１を早く実行できるように実行順序を繰り上げる。
【００２２】
具体的には、ジョブ処理部１７３は、作成者ＵＳＲの画像形成装置１に対する接近速度が走る速度に相当する第１速度以上である場合、この作成者ＵＳＲの待機中の印刷ジョブ１３１に対して、現在実行中の印刷ジョブ１３１の処理を中断してこの作成者ＵＳＲの待機中の印刷ジョブ１３１を割り込ませて実行する割込印刷を設定する。そのため、作成者ＵＳＲが画像形成装置１に走って向かってくる程、緊急の印刷が必要な場合には、自動的にこの作成者ＵＳＲの待機中の印刷ジョブ１３１に割込印刷の設定がされ、現在実行中の印刷ジョブ１３１の処理が中断され、この作成者ＵＳＲの印刷ジョブ１３１が実行される。したがって、作成者ＵＳＲは、画像形成装置１の前に来たときに、速やかに印刷物を取得することができる。
【００２３】
また、作成者ＵＳＲの画像形成装置１に対する接近速度が、早歩き速度に相当する第１速度未満且つ第２速度以上である場合、ジョブ処理部１７３は、この作成者ＵＳＲの待機中の印刷ジョブ１３１に対して、現在実行中の印刷ジョブ１３１の処理終了後に、この作成者ＵＳＲの待機中の印刷ジョブ１３１を実行する優先印刷を設定する。そのため、作成者ＵＳＲが画像形成装置１に早歩きで向かってくる程、急ぎの印刷が必要な場合には、自動的にこの作成者ＵＳＲの待機中の印刷ジョブ１３１に優先印刷の設定がされ、現在実行中の印刷ジョブ１３１の処理終了後に、この作成者ＵＳＲの待機中の印刷ジョブ１３１が実行される。したがって、作成者ＵＳＲは、画像形成装置１の前に来たときに、大して待つことなく印刷物を取得することができる。
【００２４】
作成者ＵＳＲの画像形成装置１に対する接近速度が、一般的な歩く速度以下に相当する第２速度未満である場合、ジョブ処理部１７３は、この作成者ＵＳＲの待機中の印刷ジョブ１３１の実行順序を変更することなく、通常の実行順序に従って作成者ＵＳＲの待機中の印刷ジョブ１３１を実行する。作成者ＵＳＲが印刷を急いでいないからである。
【００２５】
なお、行動監視部１７２によって作成者ＵＳＲが画像形成装置１に特定速度以上で接近していると検出される場合には、この作成者ＵＳＲが画像形成装置１の前を急いで通り過ぎようとする場合が含まれる。そのため、ジョブ処理部１７３が作成者ＵＳＲの待機中の印刷ジョブ１３１に対して優先印刷を設定した場合には、行動監視部１７２によって、現在実行中の印刷ジョブ１３１の処理が終了するまで、移動情報取得部１７１により取得される移動情報に基づいて、優先印刷が設定された印刷ジョブ１３１の作成者ＵＳＲの行動を継続して監視する。そして、ジョブ処理部１７３は、現在実行中の印刷ジョブ１３１の処理が終了する前に、行動監視部１７２により優先印刷に設定した印刷ジョブ１３１の作成者ＵＳＲが画像形成装置１から遠ざかったことが検出された場合に、この作成者ＵＳＲの印刷ジョブ１３１に対する優先印刷の設定を解除する。これにより、この作成者ＵＳＲが画像形成装置１から遠ざかった場合には、この作成者ＵＳＲの印刷ジョブ１３１の実行順序が元の状態（優先印刷の設定が行われる前の状態）に戻り、通常の実行順序に従って処理することができる。
【００２６】
また、行動監視部１７２は、作成者ＵＳＲが画像形成装置１から所定範囲内に接近したことを検出したときに、作成者ＵＳＲの画像形成装置１に対する接近速度を検出するようにしてもよい。作成者ＵＳＲが急いで印刷しているか否かを精度良く判断するためである。
【００２７】
携帯端末２は、印刷ジョブ１３１の作成者ＵＳＲによって所持されており、予め携帯端末情報１３２に登録されている。図３を参照すると、携帯端末２は、通信部２１と、操作部２２と、記憶部２３と、位置情報取得部２４と、加速度取得部２５と、制御部２６とを備えている。
【００２８】
通信部２１は、Ｗｉ−Ｆｉ(登録商標)、Ｂｌｕｅｔｏｏｔｈ(登録商標)、ＮＦＣ（Near Field Communication）等による無線通信を行って、画像形成装置１と各種データを送受信する機能を有する。
【００２９】
操作部２２は、液晶表示部や操作ボタンを備えており、ユーザーからの操作指示の入力を受け付けたり各種情報を表示したりするためのユーザーインターフェイスである。
【００３０】
記憶部２３は、半導体メモリーやＨＤＤ等の記憶手段であり、設定情報等の各種データを記憶している。
【００３１】
位置情報取得部２４は、ＧＰＳ（Global Positioning System）センサーを備えており、ＧＰＳ衛星から受信する電波に基づいて、現在地の位置情報を取得する機能を有する。また、位置情報取得部２４は、ＧＰＳ衛星からの電波だけでなく、携帯端末２の基地局から受信する電波や、室内の無線ＬＡＮから受信する電波に基づいて位置情報を取得してもよい。
【００３２】
加速度取得部２５は、加速度センサーを備えており、携帯端末２の加速度情報を検出する機能を有する。
【００３３】
制御部２６は、通信部２１、操作部２２、記憶部２３、位置情報取得部２４及び加速度取得部２５にそれぞれ接続され、操作部２２から入力された所定の指示情報に応じて携帯端末２全体の動作制御を実行する。制御部２６は、ＲＯＭ、ＲＡＭ等を備えたマイクロコンピュータ等の情報処理部である。ＲＯＭには携帯端末２の動作制御を行うための制御プログラムが記憶されている。制御部２６は、ＲＯＭに記憶されている制御プログラムを読み出し、制御プログラムをＲＡＭに展開させることで、操作部２２から入力された所定の指示情報に応じて装置全体を制御する。また、制御部２６は、移動情報送信部２７として機能する。制御部２６は、携帯端末２に予めインストールされたアプリケーションプログラムが起動することにより、移動情報送信部２７として機能してもよい。
【００３４】
移動情報送信部２７は、位置情報取得部２４から取得する位置情報と、加速度取得部２５から取得する加速度情報とを携帯端末２を所持する作成者ＵＳＲの移動情報として、通信部２１経由で画像形成装置１に送信する機能を有する。
【００３５】
次に、図４を参照して、本実施形態の画像形成装置１の画像形成動作を説明する。
【００３６】
移動情報取得部１７１は、ジョブ記憶部１３０に待機中の印刷ジョブ１３１が記憶されているか否かを判断する（ステップｓ１１）。待機中の印刷ジョブ１３１が記憶されていない場合には（ステップｓ１１でＮｏ）、本処理は終了する。
【００３７】
待機中の印刷ジョブ１３１が記憶されている場合（ステップｓ１１でＹｅｓ）、移動情報取得部１７１は、携帯端末情報１３２を参照し、通信部１６を介して待機中の印刷ジョブ１３１の作成者ＵＳＲの携帯端末２と通信を確立する（ステップｓ１２）。つづいて、移動情報取得部１７１は、通信を確立した作成者ＵＳＲの携帯端末２から位置情報と加速度情報とを移動情報として取得する（ステップｓ１３）。
【００３８】
つづいて、行動監視部１７２は、取得された移動情報に基づいて、作成者ＵＳＲの行動を監視し、作成者ＵＳＲが画像形成装置１に第１速度以上で接近しているか否かを判断する（ステップｓ１４）。
【００３９】
作成者ＵＳＲが第１速度以上で接近している場合（ステップｓ１４でＹｅｓ）、ジョブ処理部１７３は、この作成者ＵＳＲの待機中の印刷ジョブ１３１に対して、現在実行中の印刷ジョブ１３１の処理を中断して、この作成者ＵＳＲの待機中の印刷ジョブ１３１を割り込ませて実行する割込印刷を設定する（ステップｓ１５）。
【００４０】
割込印刷を設定すると、ジョブ処理部１７３は、現在実行中の印刷ジョブ１３１の処理を中断し（ステップｓ１６）、この作成者ＵＳＲの待機中の印刷ジョブ１３１を処理する割込印刷を実行し（ステップｓ１７）、本処理を終了する。
【００４１】
例えば、図２に示す待機中２となっている「印刷ジョブ３」の作成者ＵＳＲであるユーザーＣが、走って画像形成装置１に接近していることが行動監視部１７２により検出されたとする。この場合、ジョブ処理部１７３は、ユーザーＣの「印刷ジョブ３」を割込印刷に設定するので、現在実行中の「印刷ジョブ１」の処理が中断され、代わりに「印刷ジョブ３」が実行される。したがって、ユーザーＣは、画像形成装置１の前に来たときに、速やかに印刷物を取得することができる。
【００４２】
作成者ＵＳＲの接近速度が第１速度以上でない場合（ステップｓ１４でＮｏ）、ジョブ処理部１７３は、作成者ＵＳＲが第１速度より低速の第２速度以上で接近しているか否かを判断する（ステップｓ１８）。
【００４３】
作成者ＵＳＲが第２速度以上で接近している場合（ステップｓ１８でＹｅｓ）、ジョブ処理部１７３は、この作成者ＵＳＲの待機中の印刷ジョブ１３１に対して、現在実行中の印刷ジョブ１３１の処理終了後に、この作成者ＵＳＲの待機中の印刷ジョブ１３１を実行する優先印刷を設定する（ステップｓ１９）。
【００４４】
優先印刷を設定すると、ジョブ処理部１７３は、実行中の印刷ジョブ１３１の処理が終了したか否かを判断する（ステップｓ２０）。実行中の印刷ジョブ１３１の処理が終了していない場合（ステップｓ２０でＮｏ）、移動情報取得部１７１は、通信部１６を介して、この作成者ＵＳＲの携帯端末２から移動情報を取得し（ステップｓ２２）、行動監視部１７２は、取得された移動情報に基づいて、この作成者ＵＳＲが画像形成装置１から遠ざかったか否かを判断する（ステップｓ２３）。
【００４５】
この作成者ＵＳＲが画像形成装置１から遠ざかっていない場合（ステップｓ２３でＮｏ）、ステップｓ２０に処理が戻る。例えば、この作成者ＵＳＲが画像形成装置１に接近中の場合や、画像形成装置１の前で印刷を待っている場合は、行動監視部１７２により、この作成者ＵＳＲは画像形成装置１から遠ざかっていないと判断される。行動監視部１７２は、現在実行中の印刷ジョブ１３１の処理が終了するまで、この作成者ＵＳＲが画像形成装置１から遠ざかっていないかどうか継続して監視する（ステップｓ２０〜ステップｓ２３）。
【００４６】
現在実行中の印刷ジョブ１３１の処理が終了した場合（ステップｓ２０でＹｅｓ）、ジョブ処理部１７３は、この作成者ＵＳＲの待機中の印刷ジョブ１３１を処理する優先印刷を実行し（ステップｓ２１）、本処理を終了する。
【００４７】
例えば、図２に示す待機中２となっている「印刷ジョブ３」の作成者ＵＳＲであるユーザーＣが、早歩きで画像形成装置１に接近していることが行動監視部１７２により検出されたとする。この場合、ジョブ処理部１７３は、ユーザーＣの「印刷ジョブ３」を優先印刷に設定する。これにより、「印刷ジョブ３」の待機順位が「２」から「１」に繰り上がった状態となり、「印刷ジョブ２」の待機順位が「１」から「２」に繰り下がった状態となる。そのため、現在実行中の「印刷ジョブ１」の処理が終了すると、優先印刷に設定された「印刷ジョブ３」が実行される。したがって、ユーザーＣは、画像形成装置１の前に来たときに、大して待つことなく印刷物を取得することができる。
【００４８】
一方、現在実行中の印刷ジョブ１３１の処理終了前に作成者ＵＳＲが画像形成装置１から遠ざかった場合には（ステップｓ２３でＹｅｓ）、ジョブ処理部１７３は、この作成者ＵＳＲの待機中の印刷ジョブ１３１に対する優先印刷の設定を解除する（ステップｓ２４）。そして、ジョブ処理部１７３は、作成者ＵＳＲの待機中の印刷ジョブ１３１を通常印刷として処理し（ステップｓ２５）、本処理を終了する。
【００４９】
例えば、優先印刷に設定された「印刷ジョブ３」の作成者ＵＳＲであるユーザーＣが、「印刷ジョブ１」の処理終了前に画像形成装置１の前を通り過ぎた場合には、ジョブ処理部１７３は、「印刷ジョブ３」に対する優先印刷の設定を解除する。これにより、優先印刷の設定によって待機順位が「１」に繰り上がっていた「印刷ジョブ３」の待機順位が元の待機順位「２」に繰り下がり、待機順位が「２」に繰り下がっていた「印刷ジョブ２」の待機順位が本来の待機順位「１」に戻る。そのため、「印刷ジョブ１」の処理が終了すると、通常の実行順序に従って「印刷ジョブ２」が実行され、「印刷ジョブ２」の実行後に、ユーザーＣの「印刷ジョブ３」が実行される。
【００５０】
また、作成者ＵＳＲが第２速度未満で接近している場合も（ステップｓ１８でＮｏ）、ジョブ処理部１７３は、作成者ＵＳＲの待機中の印刷ジョブ１３１を通常印刷として処理し（ステップｓ２５）、本処理を終了する。したがって、印刷を急いでいない作成者ＵＳＲの待機中の印刷ジョブ１３１は、通常の実行順序に従って実行される。
【００５１】
このように、本実施形態の画像形成装置１は、複数の印刷ジョブ１３１を特定順序で実行するジョブ処理部１７３を備えた画像形成装置１であって、印刷ジョブ１３１の作成者ＵＳＲが所持する携帯端末２と無線通信を行う通信部１６と、通信部１６を介して携帯端末２から位置情報及び加速度情報を移動情報として取得する移動情報取得部１７１と、取得された移動情報に基づいて、作成者ＵＳＲの行動を監視する行動監視部１７２とを備え、ジョブ処理部１７３は、行動監視部１７２により自装置に特定速度以上で接近していることが検出された作成者ＵＳＲの印刷ジョブ１３１の実行順序を繰り上げる。これにより、画像形成装置１は、自装置に急いで向かってくるユーザーを判別して、急いでいるユーザーの印刷ジョブ１３１を自動的に優先して実行することができる。したがって、ユーザーが急いで画像形成装置１に近寄ると、このユーザーの印刷ジョブ１３１の実行順序が自動的に繰り上がり、ユーザーの利便性を向上させることができる。
【００５２】
また、印刷ジョブ１３１の作成者ＵＳＲそれぞれについて、実行順序の繰り上げ範囲を設定するユーザー権限を予め付与してもよい。例えば、ユーザーＡは通常印刷のみ設定され、ユーザーＢは優先印刷が設定され、ユーザーＣは優先印刷及び割込印刷が設定されてもよい。この場合、ユーザーＣが急いで画像形成装置に接近した場合には、ジョブ処理部１７３は、行動監視部１７２により検出されたユーザーＣの接近速度に応じてユーザーＣの待機中の印刷ジョブ１３１に対して優先印刷又は割込印刷を設定する。一方、ユーザーＢが急いで画像形成装置に接近した場合には、ユーザーＢが第１速度以上で接近したとしても、ジョブ処理部１７３は、ユーザーＢの待機中の印刷ジョブ１３１に対して優先印刷を設定する。また、ユーザーＡが第１速度以上で画像形成装置１に接近したとしても、ジョブ処理部１７３は、ユーザーＡの待機中の印刷ジョブ１３１を通常印刷として処理し、実行順序を繰り上げない。
【００５３】
このように、作成者ＵＳＲ毎に、作成する印刷ジョブ１３１の実行順序の繰り上げ範囲を設定するユーザー権限を付与しておく。そして、ジョブ処理部１７３は、ユーザー権限に基づいて、行動監視部１７２により自装置に特定速度以上で接近していることが検出された作成者ＵＳＲの印刷ジョブ１３１の実行順序を繰り上げるようにする。これにより、許可された作成者ＵＳＲの印刷ジョブ１３１だけを優先して実行することができる。
【００５４】
本発明は上述した実施の形態に限定されるものではなく、本発明の趣旨を逸脱しない範囲で種々様々に変更が可能であることは言うまでもない。
【符号の説明】
【００５５】
１  画像形成装置
２  携帯端末
１１  操作部
１２  原稿読取部
１３  記憶部
１４  画像処理部
１５  印刷部
１６  通信部（装置側通信部）
１７  制御部
２１  通信部（端末側通信部）
２２  操作部
２３  記憶部
２４  位置情報取得部
２５  加速度取得部
２６  制御部
２７  移動情報送信部
１３０  ジョブ記憶部
１３１  印刷ジョブ
１３２  携帯端末情報
１３３  設置位置情報
１７１  移動情報取得部
１７２  行動監視部
１７３  ジョブ処理部
ＵＳＲ  作成者
【図１】
2018069584.tif 000003
【図２】
2018069584.tif 000004
【図３】
2018069584.tif 000005
【図４】
2018069584.tif 000006